(57)【要約】【課題】着生基盤に多数の気質プレートを短時間で取り外し可能に取り付けることができるようにする。【解決手段】多数の基質プレート２を並べて収納可能にした下枠７と、この下枠の上側に載置されて下枠内の各基質プレートの上面の一部を押さえる押さえ片２３を有する上枠８とからなり、この両枠を着生基盤に取り付け可能にした。【選択図】図１
2007330110.tif 000002
【特許請求の範囲】
【請求項１】
多数の基質プレートを並べて収納可能にした下枠と、この下枠の上側に載置されて下枠内の各基質プレートの上面の一部を押さえる押さえ片を有する上枠とからなり、この両枠を着生基盤に取り付け可能にしたことを特徴とする基質プレート取り付け枠。
【請求項２】
下枠に複数の基質プレートを並べて収納できる小枠を複数設け、上枠に上記下枠の各小枠に対向し、かつ周囲に押さえ片を有する複数の小枠を設けたことを特徴とする請求項１記載の基質プレート取り付け枠。
【発明の詳細な説明】
【技術分野】
【０００１】
本発明は、海中にあって表面に海藻を繁殖させる海藻繁殖用の基質プレートを着生基盤に取り付けるための基質プレート取り付け枠に関するものである。
【背景技術】
【０００２】
海藻を繁殖させる方法として、あらかじめ海藻繁殖用の基質プレート（以下単に基質プレートという）を着生基盤に取り付けて海中に設置して、上記基質プレートに藻類の卵や若い配偶体を着生した後に、着生基盤ごと作業船上に引き上げ、この作業船上で基質プレートを着生基盤から取り外して、これを藻場造成礁に取り付けるという方法がとられている。そして従来の基質プレートは、それぞれ個々にボルト等の取付け具にて着生基盤に取り付けるようにしていた。
【発明の開示】
【発明が解決しようとする課題】
【０００３】
上記従来の着生時の基質プレートは、個々に着生基盤にボルト等に取り付けられるようになっていたため、多数の基質プレートを着生基盤より取り外すのに長時間を要し、これを藻場造成礁に取り付けるまで長時間にわたって空気にさらされ、この間に折角表面に着生した上記藻類の卵や若い配偶体に悪影響を及ぼしてしまうという問題があった。
【０００４】
本発明は上記したことに鑑みなされたもので、着生基盤に多数の基質プレートを短時間で取り外し可能に取り付けることができるようにした取り付け枠を提供することを目的とするものである。
【課題を解決するための手段】
【０００５】
上記目的を達成するために、本発明に係る基質プレート取り付け枠は、多数の基質プレートを並べて収納可能にした下枠と、この下枠の上側に載置されて下枠内の各基質プレートの上面の一部を押さえる押さえ片を有する上枠とからなり、この両枠を着生基盤に取り付け可能にした構成になっている。
【０００６】
そして上記構成における基質プレート取り付け枠において、下枠に複数の基質プレートを並べて収納できる小枠を複数設け、上枠に上記下枠の各小枠に対向し、かつ周囲に押さえ片を有する複数の小枠を設けた構成にした。
【発明の効果】
【０００７】
本発明によれば、多数の基質プレートを着生基盤に対して簡単に取り付け、取り外しを行うことができる。そして特に、取り外しを一度に簡単に行うことができることにより、基質プレートの着生基盤から取り外して藻場造成礁への取り付けに要する時間を短縮することができ、基質プレートに着生した藻類の卵や若い配偶体に悪影響を与えることなく、この基質プレートの藻場造成礁への移植を行うことができ、この藻場造成礁での良好な海藻類の繁茂を期待することができる。
【０００８】
そして基質プレート取り付け枠を構成する下枠及び上枠に、複数（少数）の基質プレートが入る小枠を複数設けたことにより、この取り付け枠内への基質プレートの出し入れが容易であると共に、各基質プレートを収まりよく枠内に収容することができる。
【発明を実施するための最良の形態】
【０００９】
本発明の実施の形態を図面に基づいて説明する。図１は本発明に係る基質プレート取り付け枠１を用いて多数の基質プレート２を着生基盤３上に取り付けた状態を示す平面図、図２は図１のＡ矢視図である。
【００１０】
上記着生基盤３は、例えば正方形に成形されたコンクリート板にて構成されており、基質プレート取り付け枠（以下これを単に取り付け枠という）１は、この着生基盤３の例えば相似形で略１／４の大きさになっていて、この着生基盤３上に４組の取り付け枠１が整然と並べて取り付けられるようになっている。なお上記着生基盤３には、この取り付け枠１をボルトにて取り付けるためのナット部材があらかじめ所定の位置にインサートされている。着生基盤３の上面の４個所に吊り環４が突設してあり、上記各取り付け枠１にはこの吊り環４が上方へ突出するための穴５が設けてある。
【００１１】
上記基質プレート２は従来一般的に用いられているもので、コンクリート等にて成形されている。そしてこれの形状及び大きさは特に限定されるものではないが、これの形状及び大きさは上記取り付け枠１の構成に関係するので、その一例を示すとこの実施の形態での基質プレート２は、図３、図４に示すように一辺がＷ、高さがＨの正方形であるものとする。そしてこの基質プレート２の中央部には、これを後述する藻場造成礁にボルトにて取り付けるためのボルト孔６が設けてある。
【００１２】
上記取り付け枠１は下枠７と上枠８とからなっており、図５から図７に下枠７を、また図８から図１０に上枠８をそれぞれ示す。
【００１３】
図５から図７において、下枠７は正方形の底板１０の上面の周囲に下周壁１１が設けてあり、この下周壁１１の内側に下横桟１２と下縦桟１３とにより、上記基質プレート２が複数、例えば３個ずつ入る下小枠１４が複数、例えば６個ずつ２列に並べて設けてある。すなわち、この下小枠１４の幅は基質プレート２の幅Ｗよりわずかに大きくなっていると共に、これの長さは上記幅Ｗの整数倍の寸法よりわずかに大きい長さになっている。上記底板１０の四辺部には下フランジ１５が設けてあり、この各フランジ１５に取り付け穴１６が設けてある。また、上記下小枠１４の１つに着生基盤３に設けた吊り環４が貫通する抜き穴１７が設けてある。上記下フランジ１５に設ける取り付け穴１６は、上記した着生基盤３にあらかじめインサートされているナット部材に対応する位置に設けられる。
【００１４】
図８から図１０において、上枠８は上記下枠７の下周壁１１と同一形状に設けた上周壁１８の内側に、下枠７の下横桟１２及び下縦桟１３に対応する上横桟１９及び上縦桟２０が設けてあり、これらにより上記下枠の各下枠１４に対応する上小枠２１が形成されている。
【００１５】
上記上周壁１８の上端部は、図１０に示すように内側へ折れ曲がる逆Ｌ字状になっており、また上横桟１９及び上縦桟２０の上端部は、図１０に示すようにＴ字状になっていて、上記各上小枠２１を囲む壁の上縁には押さえ片２３が設けられている。
【００１６】
この上枠８の上周壁１８の四辺部には、上記下枠７の下フランジ１５に対応する上フランジ２２が設けてあり、この上フランジ２２の上記下フランジ１５の取り付け穴１６に対応する位置にボルト貫挿筒２４が固着してある。
【００１７】
この上枠８の１つの小枠のうち、上記下枠７の吊り環用の抜き穴１７に対応する小枠２１ａには、仕切り板２５ａにて上記抜き穴１７に対応する空間２５が設けてある。そしてこの下枠７の抜き穴１７と上枠８の空間２５により図１に示した取り付け枠１の穴５を構成するものである。上記小枠２１ａの大きさは、整数（２個）の基質プレート２が入る大きさにしてある。
【００１８】
上記下枠７の深さ、すなわち床板１０から下周壁１１の先端までの寸法ｄ１と、上枠８の深さ、すなわち上枠８の上周壁１８の下端から押さえ片２１ａの下面までの寸法ｄ２とを加えた寸法は、上記基質プレート２の高さＨより小さくなっている。
【００１９】
上記取り付け枠１を構成する下枠７及び上枠８は鋼材にて構成されるが、ボルトと共に耐食性を有するステンレス鋼が望ましい。また、プラスチックであっても良い。また、下枠７の各小枠１４の底板上と上枠８の押さえ片２３の下面に緩衝用の薄いゴム板を貼り付けてもよい。
【００２０】
なお、着生基盤３を吊り上げるための吊り環４が着生基盤４の側端面に設けられる場合には、下枠７及び上枠８の上記吊り環４が突出するための抜き穴１７及び空間２５が不要となり、この部分の小枠を広くすることができる。
【００２１】
上記構成の取り付け枠１を用いて多数の基質プレート２を着生基盤３に取り付ける手順を図１１を用いて以下に説明する。
【００２２】
まず、１組の取り付け枠１の下枠７を着生基盤３の所定の位置、この実施の形態では１／４の隅部に載置される。このとき取り付け枠１のフランジ１５に設けたボルト穴１６を着生基盤３にあらかじめインサートしてあるナット部材３ａに対応させておく。またこのとき着生基盤３の吊り環４は、底板１０に設けた抜き穴１７より突出させる。
【００２３】
次に、上記下枠７の各下小枠１４に基質プレート２を３個ずつ入れる。まお、抜き穴１７を設けた下小枠には吊り環４をよけて２個入れる。
【００２４】
その後、上枠８を上記下枠７上に重ねる。このとき上枠８の上横桟１９と上縦桟２０を下枠７の各桟１２，１３に対向させる。これにより図１２に示すように、この上枠８の各桟１９，２０は、下枠７の各下小枠１４に入っている小枠ごとの各基質プレートの間に入ると共に、各基質プレートの上面の一部が上枠の押さえ片２３にて押さえられる。この状態で上枠８のボルト貫挿筒２４よりボルト２６を挿入し、下枠７の取り付け穴１６を貫通させ、着生基盤３のナット部材３ａに螺合することにより、下枠７と上枠８からなり、かつこれの間に多数の基質プレート２を挟持した取り付け枠１が着生基盤３に装着される。
【００２５】
なお、このときにおいて上枠８の中央部が浮き上がって、下枠７内の基質プレート２の上面から離隔すると、この部分の基質プレート２が離脱する恐れがある。そのため、例えば図５に示すように下枠の中央部、この場合吊り環４用の抜き穴１７を設けた部分にねじ孔２７を設け、一方上枠８の中央部の、このねじ孔２７に対応する位置にボルト孔２８を設け、この部分において下枠７と上枠８とをボルトにて結合するようにしてもよい。
【００２６】
このようにして、上記着生基盤３の他の部分に順次取り付け枠１を基質プレート２を挟持した状態で装着する。そしてこれの全面に上記取り付け枠１を装着した状態で着生基盤３に設けた吊り環４にロープを掛けてクレーンで吊り上げてこれを海中に浸漬する。
【００２７】
上記着生基盤３が所定時間海中に浸漬されていることにより上記基質プレート２の表面に藻類の卵や若い配偶体などが着生する。そしてこれが所定以上着生した状態で着生基盤３を船上等に引き上げて、この着生基盤３から基質プレート２を取り外す。このとき、ボルト２６を外して上枠８を外すことにより、取り付け枠１内にある全ての基質プレート２が自由状態となって、各基質プレート２をまとめて自由に取り出すことができる。
【００２８】
このように取り出した各基質プレート２は、図１３に示すように藻場造成礁２９の表面に、基質プレート２のボルト孔６を貫通するボルトにて１個１個取り付ける。そしてこの藻場造成礁２９を、海藻の育成に適した場所の海底に沈設する。
【００２９】
このときにおいて上記したように各基質プレート２は、これに設けたボルト孔２６に貫通するボルトにて藻場造成礁２９に取り付けられるが、海中にあって波浪や潮流によって基質プレート２が振動してボルトと干渉することにより、この基質プレート２が破損することがある。これを防止するためには、図３、図４に示すように、基質プレート２のボルト孔６の内面にビニールチューブ等緩衝作用をする保護管３０をボルトと共に挿入、あるいはあらかじめ基質プレート２の成形時にインサートしておけばよい。
【００３０】
上記した実施の形態では、取り付け枠１を構成する下枠７と上枠８とはボルト２６による共締めにて着生基盤３に取り付けるようにしたが、下枠７を先に着生基盤３に固着してから、この下枠７に上枠８を他のボルトにて取り付けるようにしてもよい。このようにすることにより下枠７は、常時着生基盤３に取り付け状態となり、取り付け枠１に対する基質プレートプレート２の出し入れが、上枠８の着脱だけで行うことができる。
【００３１】
また上記した実施の形態では、下枠７に基質プレート２を複数個ずつ、例えば３個ずつ入れる下小枠１４を複数設けたことにより、取り付け枠１内の基質プレート２の出し入れを、これがばらばらになることなく容易に行うことができると共に、各基質プレート２をおさまりよく収納できる。
【００３２】
また上記した実施の形態では、取り付け枠１を構成する下枠７と上枠８のそれぞれに基質プレート２を複数（少数）ずつ入れる小枠１４，２１をそれぞれ上下に対向させて複数設けた例を示したが、この実施の形態に限定されないことはもちろんである。
【００３３】
例えば、下枠７に小枠を設けず、下枠全体に基質プレート２を並べ、上枠８にこの各基質プレート２の上面の一部を押さえる押さえ片を格子状に設けるようにしてもよい。
【００３４】
上記実施の形態では、多数の基質プレート２をまとめて取り付け枠１にて着生基盤３に取り付けることができる。そしてこれの着生基盤３に対する取り付け及び取り外しが、取り付け枠１の下枠７と上枠８、あるいは上枠８の着脱によって一度に行うことができる。
【図面の簡単な説明】
【００３５】
【図１】本発明に係る基質プレート取り付け枠の使用状態を示す平面図である。
【図２】図１のＡ矢視図である。
【図３】本発明を適用する基質プレートの一例を示す斜視図である。
【図４】図３に示す基質プレートの断面図である。
【図５】下枠を示す平面図である。
【図６】下枠を示す側面図である。
【図７】図５のＢ−Ｂ矢視拡大断面図である。
【図８】上枠を示す平面図である。
【図９】上枠を示す側面図である。
【図１０】図８のＣ−Ｃ矢視拡大断面図である。
【図１１】基質プレートの取り付け枠の取付け状態を示す分解図である。
【図１２】図１のＤ−Ｄ矢視拡大断面図である。
【図１３】基質プレートを取り付けた状態の藻場造成礁を示す斜視図である。
【符号の説明】
【００３６】
１…基質プレート取り付け枠、２…基質プレート、３…着生基盤、３ａ…ナット部材、４…吊り環、５…穴、６…ボルト孔、７…下枠、８…上枠、１０…底板、１１…下周壁、１２…下横桟、１３…下縦桟、１４…下小枠、１５…下フランジ、１６…取り付け穴、１７…抜き穴、１８…上周壁、１９…上横桟、２０…上縦桟、２１，２１ａ…上小枠、２２…上フランジ、２３…押さえ片、２４…ボルト貫挿筒、２５…空間、２６…ボルト、２７…ねじ孔、２８…ボルト孔、２９…藻場造成礁。
【図１】
2007330110.tif 000003
【図２】
2007330110.tif 000004
【図３】
2007330110.tif 000005
【図４】
2007330110.tif 000006
【図５】
2007330110.tif 000007
【図６】
2007330110.tif 000008
【図７】
2007330110.tif 000009
【図８】
2007330110.tif 000010
【図９】
2007330110.tif 000011
【図１０】
2007330110.tif 000012
【図１１】
2007330110.tif 000013
【図１２】
2007330110.tif 000014
【図１３】
2007330110.tif 000015